【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
電子メールを受信する受信手段と、
前記受信手段により受信された電子メールに基づく印刷処理を実行する印刷手段と、
前記受信された電子メールの送信元の電子メールアドレスが印刷完了通知の送信を拒否するように設定された電子メールアドレスでない場合は前記印刷処理が完了したことに応じて前記受信された電子メールの送信元に前記印刷処理が完了した旨の完了通知を行い、前記受信された電子メールの送信元の電子メールアドレスが前記印刷完了通知の送信を拒否するように設定された電子メールアドレスである場合は前記印刷処理が完了しても前記受信された電子メールの送信元に前記完了通知を行わない通知手段と、
を有することを特徴とする画像形成装置。
【請求項２】
前記印刷完了通知の送信を拒否するように設定された電子メールアドレスを登録する登録手段を有し、
前記通知手段は、前記受信された電子メールの送信元の電子メールアドレスが前記登録手段に登録されていない場合は前記印刷処理が完了したことに応じて前記受信された電子メールの送信元に前記完了通知を行い、前記受信された電子メールの送信元の電子メールアドレスが前記登録手段に登録されている場合は前記印刷処理が完了しても前記受信された電子メールの送信元に前記完了通知を行わないことを特徴とする請求項１に記載の画像形成装置。
【請求項３】
前記登録手段は、前記受信手段により受信済みの複数の電子メールに含まれる少なくともいずれかの電子メールの送信元の電子メールアドレスを、前記印刷完了通知の送信を拒否するように設定された電子メールアドレスとして登録することを特徴とする請求項２に記載の画像形成装置。
【請求項４】
前記受信された電子メールには画像ファイルが添付されており、
前記印刷手段は、前記画像ファイルから生成される画像データを印刷処理することを特徴とする請求項１乃至３のいずれか１項に記載の画像形成装置。
【請求項５】
前記印刷手段は、前記受信された電子メールの本文から生成される画像データを印刷処理することを特徴とする請求項１乃至４のいずれか１項に記載の画像形成装置。
【請求項６】
前記通知手段は、前記受信された電子メールの送信元に電子メールを送信することにより前記完了通知を行うことを特徴とする請求項１乃至５のいずれか１項に記載の画像形成装置。
【請求項７】
前記受信された電子メールの送信元の電子メールアドレスは、前記通知手段により送信される電子メールを受信して印刷する機能を備える他の画像形成装置の電子メールアドレスであることを特徴とする請求項６に記載の画像形成装置。
【請求項８】
画像形成装置における通知方法であって、
電子メールを受信する受信工程と、
前記受信工程にて受信された電子メールに基づく印刷処理を実行する印刷工程と、
前記受信された電子メールの送信元の電子メールアドレスが印刷完了通知の送信を拒否するように設定された電子メールアドレスでない場合は前記印刷処理が完了したことに応じて前記受信された電子メールの送信元に前記印刷処理が完了した旨の完了通知を行い、前記受信された電子メールの送信元の電子メールアドレスが前記印刷完了通知の送信を拒否するように設定された電子メールアドレスである場合は前記印刷処理が完了しても前記受信された電子メールの送信元に前記完了通知を行わない通知工程と、
を有することを特徴とする画像形成装置における通知方法。
【請求項９】
前記印刷完了通知の送信を拒否するように設定された電子メールアドレスを登録する登録工程を有し、
前記通知工程は、前記受信された電子メールの送信元の電子メールアドレスが前記登録工程にて登録されていない場合は前記印刷処理が完了したことに応じて前記受信された電子メールの送信元に前記完了通知を行い、前記受信された電子メールの送信元の電子メールアドレスが前記登録工程にて登録されている場合は前記印刷処理が完了しても前記受信された電子メールの送信元に前記完了通知を行わないことを特徴とする請求項８に記載の通知方法。
【請求項１０】
前記登録工程は、前記受信工程にて受信済みの複数の電子メールに含まれる少なくともいずれかの電子メールの送信元の電子メールアドレスを、前記印刷完了通知の送信を拒否するように設定された電子メールアドレスとして登録することを特徴とする請求項９に記載の通知方法。
【手続補正２】
【補正対象書類名】明細書
【補正対象項目名】発明の名称
【補正方法】変更
【補正の内容】
【発明の名称】画像形成装置および画像形成装置における通知方法
【手続補正３】
【補正対象書類名】明細書
【補正対象項目名】０００１
【補正方法】変更
【補正の内容】
【０００１】
本発明は、電子メールを送信することが可能な画像形成装置、及び受信した電子メールの印刷が可能な画像形成装置に関するものである。
【手続補正４】
【補正対象書類名】明細書
【補正対象項目名】００２４
【補正方法】変更
【補正の内容】
【００２４】
本発明は、電子メールを受信する受信手段と、前記受信手段により受信された電子メールに基づく印刷処理を実行する印刷手段と、前記受信された電子メールの送信元の電子メールアドレスが印刷完了通知の送信を拒否するように設定された電子メールアドレスでない場合は前記印刷処理が完了したことに応じて前記受信された電子メールの送信元に前記印刷処理が完了した旨の完了通知を行い、前記受信された電子メールの送信元の電子メールアドレスが前記印刷完了通知の送信を拒否するように設定された電子メールアドレスである場合は前記印刷処理が完了しても前記受信された電子メールの送信元に前記完了通知を行わない通知手段とを有することを特徴とする。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】変更
【補正の内容】
【００３１】
本発明によれば、受信された電子メールの送信元の電子メールアドレスが印刷完了通知の送信を拒否するように設定された電子メールアドレスでない場合は印刷処理が完了したことに応じて受信された電子メールの送信元に印刷処理が完了した旨の完了通知を行い、受信された電子メールの送信元の電子メールアドレスが印刷完了通知の送信を拒否するように設定された電子メールアドレスである場合は印刷処理が完了しても受信された電子メールの送信元に前記完了通知を行わないよう適切に通知を行う画像形成装置及び画像形成装置における通知方法を提供することができる。
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】